【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワーク（ＷＬＡＮ）システムにおけるワイヤレス通信に関する方法であって、
第１のＷＬＡＮデータパケットに応答して、ＷＬＡＮアクセスポイントへ第１の送信パワーレベルでワイヤレスローカルエリアネットワーク（ＷＬＡＮ）アクノウリッジメント（ＡＣＫ）パケットを、マルチ−無線ユーザ機器（ＵＥ）によって送信すること、
および、
該ＷＬＡＮ  ＡＣＫパケットの該第１の送信パワーレベルより低い第２の送信パワーレベルで第２のＷＬＡＮデータパケットを、該ＷＬＡＮアクセスポイントへ、該マルチ−無線ＵＥによって送信すること、
を備える、方法。
【請求項２】
請求項１の方法であって、
該マルチ−無線ＵＥのＷＬＡＮ無線の動作中に、該マルチ−無線ＵＥのブロードバンドワイヤレスモデムのリンク品質に従って、該ＷＬＡＮ  ＡＣＫパケットに関する該第１の送信パワーレベルを選択すること、
をさらに備える、方法。
【請求項３】
請求項１の方法であって、
該ＷＬＡＮ  ＡＣＫパケットから該マルチ−無線ＵＥのブロードバンド無線モデムに対する干渉のレベルに従って、該ＷＬＡＮ  ＡＣＫパケットに関する該第１の送信パワーレベルを選択すること、
をさらに備える、方法。
【請求項４】
請求項１の方法であって、
ＷＬＡＮ  ＡＣＫパケット送信パワーレベルに関するＡＣＫパワーバック−オフレベルを格納すること、
ＷＬＡＮデータパケット送信パワーレベルに関するデータパワーバック−オフレベルを格納すること、
該格納されたＡＣＫパワーバック−オフレベルに基づく該第１の送信パワーレベルで該ＷＬＡＮ  ＡＣＫパケットを送信すること、
および、
該格納されたデータパワーバック−オフレベルに基づく該第２の送信パワーレベルで該第２のＷＬＡＮデータパケットを送信すること、
をさらに備える、方法。
【請求項５】
請求項４の方法であって、
マルチ−無線局とＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定のパワー感度に従って、該格納されたデータパワーバック−オフレベルをセットすること、
をさらに備える、方法。
【請求項６】
請求項４の方法であって、
該マルチ−無線ＵＥのワイヤレスモデムの受信した信号強度、該マルチ−無線局と該ＷＬＡＮアクセスポイントとの間のパス−ロス、および、ＡＣＫパケット物理レイヤレートでＡＣＫパケットを受信するための該ＷＬＡＮアクセスポイントのレシーバの所定のパワー感度に従って、該格納されたデータパワーバック−オフレベルをセットすること、
をさらに備える、方法。
【請求項７】
ワイヤレスローカルエリアネットワーク（ＷＬＡＮ）システムにおけるワイヤレス通信に関して構成されたマルチ−無線ユーザ機器（ＵＥ）であって、
該装置は、
メモリ、および、該メモリに結合された少なくとも１つのプロセッサを備え、
該少なくとも１つのプロセッサは、
第１のＷＬＡＮデータパケットに応答して、ＷＬＡＮアクセスポイントへ第１の送信パワーレベルでワイヤレスローカルエリアネットワーク（ＷＬＡＮ）アクノウリッジメント（ＡＣＫ）パケットを送信するために、
および、
該ＷＬＡＮ  ＡＣＫパケットの該第１の送信パワーレベルより低い第２の送信パワーレベルで第２のＷＬＡＮデータパケットを、該ＷＬＡＮアクセスポイントへ、送信するために、
構成される、
マルチ−無線ユーザ機器（ＵＥ）。
【請求項８】
請求項７のマルチ−無線ＵＥであって、
そこにおいて、該少なくとも１つのプロセッサは、該マルチ−無線ＵＥのＷＬＡＮ無線の動作中に、該マルチ−無線ＵＥのブロードバンドワイヤレスモデムのリンク品質に従って、該ＷＬＡＮ  ＡＣＫパケットに関する該第１の送信パワーレベルを選択するために、さらに構成されている、マルチ−無線ＵＥ。
【請求項９】
請求項７のマルチ−無線ＵＥであって、
そこにおいて、該少なくとも１つのプロセッサは、該ＷＬＡＮ  ＡＣＫパケットから該マルチ−無線ＵＥのブロードバンド無線モデムに対する干渉のレベルに従って、該ＷＬＡＮ  ＡＣＫパケットに関する該第１の送信パワーレベルを選択するために、さらに構成されている、マルチ−無線ＵＥ。
【請求項１０】
請求項７のマルチ−無線ＵＥであって、
そこにおいて、該少なくとも１つのプロセッサは、
ＷＬＡＮ  ＡＣＫパケット送信パワーレベルに関するＡＣＫパワーバック−オフレベルを格納するために、
ＷＬＡＮデータパケット送信パワーレベルに関するデータパワーバック−オフレベルを格納するために、
該格納されたＡＣＫパワーバック−オフレベルに基づく該第１の送信パワーレベルで該ＷＬＡＮ  ＡＣＫパケットを送信するために、
および、
該格納されたデータパワーバック−オフレベルに基づく該第２の送信パワーレベルで該第２のＷＬＡＮデータパケットを送信するために、
さらに構成されている、マルチ−無線ＵＥ。
【請求項１１】
請求項１０のマルチ−無線ＵＥであって、
そこにおいて、該少なくとも１つのプロセッサは、該マルチ−無線ＵＥと該ＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定のパワー感度に従って、該格納されたデータパワーバック−オフレベルをセットするために、さらに構成されている、マルチ−無線ＵＥ。
【請求項１２】
請求項１０のマルチ−無線ＵＥであって、
そこにおいて、該少なくとも１つのプロセッサは、該マルチ−無線マルチ−無線ＵＥのワイヤレスモデムの受信した信号強度、該マルチ−無線マルチ−無線ＵＥと該ＷＬＡＮアクセスポイントとの間のパス−ロス、および、ＡＣＫパケット物理レイヤレートでＡＣＫパケットを受信するための該ＷＬＡＮアクセスポイントのレシーバの所定のパワー感度に従って、該格納されたデータパワーバック−オフレベルをセットするために、さらに構成されている、マルチ−無線ＵＥ。
【請求項１３】
ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
第１のＷＬＡＮデータパケットに応答して、ＷＬＡＮアクセスポイントへ第１の送信パワーレベルでワイヤレスローカルエリアネットワーク（ＷＬＡＮ）アクノウリッジメント（ＡＣＫ）パケットを、マルチ−割合ユーザ機器（ＵＥ）によって送信するためのプログラムコード、
および、
該ＷＬＡＮ  ＡＣＫパケットの該第１の送信パワーレベルより低い第２の送信パワーレベルで第２のＷＬＡＮデータパケットを、該ＷＬＡＮアクセスポイントへ、該マルチ−無線（ＵＥ）によって送信するためのプログラムコード
を備える、
プログラムプロダクト。
【請求項１４】
請求項１３のコンピュータプログラムプロダクトであって、
そこにおいて、該プログラムコードは、該マルチ−無線ＵＥのＷＬＡＮ無線の動作中に、ブロードバンドワイヤレスモデムのリンク品質に従って、該ＷＬＡＮ  ＡＣＫパケットに関する該第１の送信パワーレベルを選択するためのプログラムコードを、さらに備えるコンピュータプログラムプロダクト。
【請求項１５】
ワイヤレスローカルエリアネットワーク（ＷＬＡＮ）システムにおけるワイヤレス通信に関して構成された装置であって、
該装置は、
第１のＷＬＡＮデータパケットに応答して、ＷＬＡＮアクセスポイントへ第１の送信パワーレベルでワイヤレスローカルエリアネットワーク（ＷＬＡＮ）アクノウリッジメント（ＡＣＫ）パケットを、マルチ−無線ユーザ機器（ＵＥ）によって送信するための手段、
および、
該ＷＬＡＮ  ＡＣＫパケットの該第１の送信パワーレベルより低い第２の送信パワーレベルで第２のＷＬＡＮデータパケットを、該ＷＬＡＮアクセスポイントへ、該マルチ−無線ＵＥによって送信するための手段
を備える、装置。
【請求項１６】
請求項１５の装置であって、
該マルチ−無線ＵＥのＷＬＡＮ無線の動作中に、該マルチ−無線ＵＥのブロードバンドワイヤレスモデムのリンク品質に従って、該ＷＬＡＮ  ＡＣＫパケットに関する該第１の送信パワーレベルを選択するための手段を、さらに備える、装置。
【請求項１７】
ワイヤレスローカルエリアネットワーク（ＷＬＡＮ）システムにおけるワイヤレス通信の方法であって、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートを、マルチ−無線ユーザ機器（ＵＥ）によって選択すること、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートが選択される、
および、
該選択されたＷＬＡＮ  ＡＣＫパケット送信データレートでＷＬＡＮ  ＡＣＫパケットを、該ＷＬＡＮアクセスポイントへ、該マルチ−無線ＵＥによって送信すること、
を備える、方法。
【請求項１８】
ワイヤレスローカルエリアネットワーク（ＷＬＡＮ）システムにおけるワイヤレス通信に関して構成されたマルチ−無線ユーザ機器（ＵＥ）であって、
該装置は、
メモリ、および、該メモリに結合された少なくとも１つのプロセッサを備え、
該少なくとも１つのプロセッサは、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートを選択するために、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートが選択される、
および、
該選択されたＷＬＡＮ  ＡＣＫパケット送信データレートでＷＬＡＮ  ＡＣＫパケットを、該ＷＬＡＮアクセスポイントへ、送信するために、
構成される、
装置。
【請求項１９】
ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートを、マルチ−無線ユーザ機器（ＵＥ）によって選択するためのプログラムコード、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートが選択される、
および、
該選択されたＷＬＡＮ  ＡＣＫパケット送信データレートでＷＬＡＮ  ＡＣＫパケットを、該ＷＬＡＮアクセスポイントへ、該マルチ−無線ユーザ機器（ＵＥ）によって送信するためのプログラムコード、
を備える、
プログラムプロダクト。
【請求項２０】
ワイヤレスローカルエリアネットワーク（ＷＬＡＮ）システムにおけるワイヤレス通信に関して構成された装置であって、
該装置は、
ＷＬＡＮデータパケットがＷＬＡＮアクセスポイントから受信されるデータレートとは異なるワイヤレスローカルエリアネットワーク（ＷＬＡＮ）アクノウリッジメント（ＡＣＫ）パケット送信データレートをマルチ−無線ユーザ機器／ＵＥによって選択するための手段、そこにおいて、該ＷＬＡＮデータパケットの送信データレートがＷＬＡＮベーシックサービスセットにおいて規定された最低データレートであると仮定することによって、該ＷＬＡＮ  ＡＣＫパケット送信データレートによって選択される、
および、
該選択されたＷＬＡＮ  ＡＣＫパケット送信データレートでＷＬＡＮ  ＡＣＫパケットを、該ＷＬＡＮアクセスポイントへ、該マルチ−無線ＵＥが送信するための手段、
を備える、装置。
【手続補正２】
【補正対象書類名】明細書
【補正対象項目名】０１１０
【補正方法】変更
【補正の内容】
【０１１０】
［0120］  当業者がこの開示を実施および使用することを可能にするために、開示された態様の以上の記述は提供される。これらの観点に対する様々な変更は当業者には容易に明らかであり、ここにおいて定義された包括的な原理は、本開示の精神または範囲を逸脱することなく他の観点に適用可能である。したがって、この開示は、ここに示された観点に限定されるようには意図されず、ここに開示される原理および新規な特徴と一致する最も広い範囲を与えられることとなる。
以下に本願発明の当初の特許請求の範囲に記載された発明を付記する。
［Ｃ１］  ワイヤレスローカルエリアネットワーク（ＷＬＡＮ）システムにおけるワイヤレス通信に関する方法であって、
リモート機器へ第１の送信パワーレベルでワイヤレスローカルエリアネットワーク（ＷＬＡＮ）アクノウリッジメント（ＡＣＫ）パケットを送信すること、
および、
該ＷＬＡＮ  ＡＣＫパケットの該第１の送信パワーレベルより低い第２の送信パワーレベルでＷＬＡＮデータパケットを、該リモート機器へ、送信すること、
を備える、方法。
［Ｃ２］  Ｃ１の方法であって、
マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択すること、
をさらに備える、方法。
［Ｃ３］  Ｃ１の方法であって、
該ＷＬＡＮ  ＡＣＫパケットからマルチ−無線局の他のブロードバンド無線モデムに対する干渉のレベルに従って、該ＷＬＡＮ  ＡＣＫパケットに関する該第１の送信パワーレベルを選択すること、
をさらに備える、方法。
［Ｃ４］  Ｃ１の方法であって、
ＷＬＡＮ  ＡＣＫパケット送信パワーレベルに関するＡＣＫパワーバック−オフレベルを格納すること、
ＷＬＡＮデータパケット送信パワーレベルに関するデータパワーバック−オフレベルを格納すること、
該格納されたＡＣＫパワーバック−オフレベルに基づく該第１の送信パワーレベルで該ＷＬＡＮ  ＡＣＫパケットを送信すること、
および、
該格納されたデータパワーバック−オフレベルに基づく該第２の送信パワーレベルで該ＷＬＡＮデータパケットを送信すること、
をさらに備える、方法。
［Ｃ５］  Ｃ４の方法であって、
マルチ−無線局とＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定の感度に従って、該格納されたデータパワーバック−オフレベルをセットすること、
をさらに備える、方法。
［Ｃ６］  Ｃ４の方法であって、
マルチ−無線局のワイヤレスモデムの受信した信号強度、マルチ−無線局とＷＬＡＮアクセスポイントとの間のパス−ロス、および、ＡＣＫパケット物理レイヤレートでＡＣＫパケットを受信するための該ＷＬＡＮアクセスポイントのレシーバの所定の感度に従って、該格納されたデータパワーバック−オフレベルをセットすること、
をさらに備える、方法。
［Ｃ７］  ワイヤレスローカルエリアネットワーク（ＷＬＡＮ）システムにおけるワイヤレス通信に関して構成された装置であって、
該装置は、
メモリ、および、該メモリに結合された少なくとも１つのプロセッサを備え、
該少なくとも１つのプロセッサは、
リモート機器へ第１の送信パワーレベルでワイヤレスローカルエリアネットワーク（ＷＬＡＮ）アクノウリッジメント（ＡＣＫ）パケットを送信するために、
および、
該ＷＬＡＮ  ＡＣＫパケットの該第１の送信パワーレベルより低い第２の送信パワーレベルでＷＬＡＮデータパケットを、該リモート機器へ、送信するために、
構成される、
装置。
［Ｃ８］  Ｃ７の装置であって、
そこにおいて、該少なくとも１つのプロセッサは、マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するために、さらに構成されている、装置。
［Ｃ９］  Ｃ７の装置であって、
そこにおいて、該少なくとも１つのプロセッサは、該ＷＬＡＮ  ＡＣＫパケットからマルチ−無線局の他のブロードバンド無線モデムに対する干渉のレベルに従って、該ＷＬＡＮ  ＡＣＫパケットに関する該第１の送信パワーレベルを選択するために、さらに構成されている、装置。
［Ｃ１０］  Ｃ７の装置であって、
そこにおいて、該少なくとも１つのプロセッサは、
ＷＬＡＮ  ＡＣＫパケット送信パワーレベルに関するＡＣＫパワーバック−オフレベルを格納するために、
ＷＬＡＮデータパケット送信パワーレベルに関するデータパワーバック−オフレベルを格納するために、
該格納されたＡＣＫパワーバック−オフレベルに基づく該第１の送信パワーレベルで該ＷＬＡＮ  ＡＣＫパケットを送信するために、
および、
該格納されたデータパワーバック−オフレベルに基づく該第２の送信パワーレベルで該ＷＬＡＮデータパケットを送信するために、
さらに構成されている、装置。
［Ｃ１１］  Ｃ１０の装置であって、
そこにおいて、該少なくとも１つのプロセッサは、マルチ−無線局とＷＬＡＮアクセスポイントとの間のパス−ロス、ＡＣＫパケット物理レイヤレート、および、該ＡＣＫパケット物理レイヤレートでＡＣＫパケットを受信するための該ＷＬＡＮアクセスポイントのレシーバの所定の感度に従って、該格納されたデータパワーバック−オフレベルをセットするために、さらに構成されている、装置。
［Ｃ１２］  Ｃ１０の装置であって、
そこにおいて、該少なくとも１つのプロセッサは、マルチ−無線局のワイヤレスモデムの受信した信号強度、該マルチ−無線局とＷＬＡＮアクセスポイントとの間のパス−ロス、および、ＡＣＫパケット物理レイヤレートでＡＣＫパケットを受信するための該ＷＬＡＮアクセスポイントのレシーバの所定の感度に従って、該格納されたデータパワーバック−オフレベルをセットするために、さらに構成されている、装置。
［Ｃ１３］  ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
リモート機器へ第１の送信パワーレベルでワイヤレスローカルエリアネットワーク（ＷＬＡＮ）アクノウリッジメント（ＡＣＫ）パケットを送信するためのプログラムコード、
および、
該ＷＬＡＮ  ＡＣＫパケットの該第１の送信パワーレベルより低い第２の送信パワーレベルでＷＬＡＮデータパケットを、該リモート機器へ、送信するためのプログラムコード
を備える、
プログラムプロダクト。
［Ｃ１４］  Ｃ１３のコンピュータプログラムプロダクトであって、
そこにおいて、該プログラムコードは、マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するためのプログラムコードを、さらに備えるプログラムプロダクト。
［Ｃ１５］  ワイヤレスローカルエリアネットワーク（ＷＬＡＮ）システムにおけるワイヤレス通信に関して構成された装置であって、
該装置は、
リモート機器へ第１の送信パワーレベルでワイヤレスローカルエリアネットワーク（ＷＬＡＮ）アクノウリッジメント（ＡＣＫ）パケットを送信するための手段、
および、
該ＷＬＡＮ  ＡＣＫパケットの該第１の送信パワーレベルより低い第２の送信パワーレベルでＷＬＡＮデータパケットを、該リモート機器へ、送信するための手段
を備える、装置。
［Ｃ１６］  Ｃ１５の装置であって、
マルチ−無線局のＷＬＡＮ無線の動作中にブロードバンドワイヤレスモデムのリンク品質に従って、該ＷＬＡＮ  ＡＣＫパケットに関する該第１の送信パワーレベルを選択するための手段を、さらに備える、装置。
［Ｃ１７］  ワイヤレスローカルエリアネットワーク（ＷＬＡＮ）システムにおけるワイヤレス通信の方法であって、
ＷＬＡＮデータパケットが受信されるレートから独立してワイヤレスローカルエリアネットワーク（ＷＬＡＮ）アクノウリッジメント（ＡＣＫ）パケット送信レートを選択すること、
および、
該選択されたＷＬＡＮ  ＡＣＫパケット送信レートでＷＬＡＮ  ＡＣＫパケットを、リモート機器へ、送信すること、
を備える、方法。
［Ｃ１８］  Ｃ１７の方法であって、
そこにおいて、該ＷＬＡＮデータパケットの送信レートがＷＬＡＮベーシックサービスセットにおいて規定された最低レートであると仮定することによって、該ＷＬＡＮ  ＡＣＫパケット送信レートが選択される、方法。
［Ｃ１９］  Ｃ１７の方法であって、
そこにおいて、該ＷＬＡＮシステムのＷＬＡＮ規格は、電子および電気技術学会（ＩＥＥＥ）８０２．１１ａｆ規格またはＩＥＥＥ８０２．１１ａｈ規格である、方法。
［Ｃ２０］  ワイヤレスローカルエリアネットワーク（ＷＬＡＮ）システムにおけるワイヤレス通信に関して構成された装置であって、
該装置は、
メモリ、および、該メモリに結合された少なくとも１つのプロセッサを備え、
該少なくとも１つのプロセッサは、
ＷＬＡＮデータパケットが受信されるレートから独立してワイヤレスローカルエリアネットワーク（ＷＬＡＮ）アクノウリッジメント（ＡＣＫ）パケット送信レートを選択するために、
および、
該選択されたＷＬＡＮ  ＡＣＫパケット送信レートでＷＬＡＮ  ＡＣＫパケットを、リモート機器へ、送信するために、
構成される、
装置。
［Ｃ２１］  ワイヤレスローカルエリアネットワーク（ＷＬＡＮ）システムにおけるワイヤレス通信に関して構成されたコンピュータプログラムプロダクトであって、
該コンピュータプログラムプロダクトは、
その上に記録された非一時的なプログラムコードを有する非一時的なコンピュータ可読媒体を備え、
該プログラムコードは、
ＷＬＡＮデータパケットが受信されるレートから独立してワイヤレスローカルエリアネットワーク（ＷＬＡＮ）アクノウリッジメント（ＡＣＫ）パケット送信レートを選択するためのプログラムコード、
および、
該選択されたＷＬＡＮ  ＡＣＫパケット送信レートを、リモート機器へ、送信するためのプログラムコード、
を備える、
プログラムプロダクト。
［Ｃ２２］  ワイヤレスローカルエリアネットワーク（ＷＬＡＮ）システムにおけるワイヤレス通信に関して構成された装置であって、
該装置は、
ＷＬＡＮデータパケットが受信されるレートから独立してワイヤレスローカルエリアネットワーク（ＷＬＡＮ）アクノウリッジメント（ＡＣＫ）パケット送信レートを選択するための手段、
および、
該選択されたＷＬＡＮ  ＡＣＫパケット送信レートでＷＬＡＮ  ＡＣＫパケットを、リモート機器へ、送信するための手段、
を備える、装置。